(57)【要約】【課題】  給水器具の位置の変更や他の器具への交換の際に給水管を継ぎ足すことなく対応することができる給水管の配設構造を提供することを目的とする。【解決手段】  給水器具に接続するための給水管の配設構造であって、前記給水管が、可撓性を有する材質からなり、前記給水器具への接続位置から離隔した位置で建物内部に引き込まれ、引き込み位置から前記給水器具との接続位置まで壁内部に円弧状あるいは螺状に配設されたことを特徴とする給水管の配設構造が提供される。【選択図】図１
2012229537.tif 000002
【特許請求の範囲】
【請求項１】
給水器具に接続するための給水管の配設構造であって、
前記給水管が、可撓性を有する材質からなり、前記給水器具への接続位置から離隔した位置で建物内部に引き込まれ、引き込み位置から前記給水器具との接続位置まで壁内部に円弧状あるいは螺状に配設されたことを特徴とする給水管の配設構造。
【請求項２】
前記給水管が壁内部に継手をもたず連続した一本（一巻き）の管で構成されたことを特徴とする請求項１に記載した給水管の配設構造。
【発明の詳細な説明】
【技術分野】
【０００１】
本発明は、給水管の配設構造に関する。
【背景技術】
【０００２】
従来、戸建住宅において、室内の水栓などの給水器具に給水管を接続する場合、給水管を、建物周囲の地中で横引きして、所定の位置で立ち上げ、建物１階に設けられた引き込み用の穴から建物内部に引き込み、所定の接続位置まで配設していた。その際の引き込み位置は、特に制約がない限りは給水器具に最も近い位置とするのが一般的であった。
これは、給水管が硬質塩化ビニルライニング鋼管等の可撓性を有しない材質であっても架橋ポリエチレン管のように可撓性を有する材質であっても同じである。
【発明の概要】
【発明が解決しようとする課題】
【０００３】
給水器具の位置を変更したり他の器具に交換したりする場合、給水管の配設位置（給水器具と給水管との接続位置）を変更する必要がある。しかし、位置の変更に伴って、給水管の継ぎ足しが必要となる。また、継ぎ足し箇所が増えるほど漏水の可能性も高まる。給水管が可撓性を有する材質であっても、引き込み位置からの距離が長くなる場合には対応できない。
【０００４】
本発明は上記の事情に鑑みてなされたものであり、給水器具の位置の変更や他の器具への交換の際に給水管を継ぎ足すことなく対応することができる給水管の配設構造を提供することを目的とするものである。
【課題を解決するための手段】
【０００５】
本発明に係る給水管の配設構造は、給水器具に接続するための給水管の配設構造であって、前記給水管が、可撓性を有する材質からなり、前記給水器具への接続位置から離隔した位置で建物内部に引き込まれ、引き込み位置から前記給水器具との接続位置まで壁内部に円弧状あるいは螺状に配設されたことを特徴とする。
【０００６】
上記の構成からなる給水管の配設構造では、給水管が可撓性を有する材質からなり、建物内部への引き込み位置から給水器具との接続位置まで壁内部に円弧状あるいは螺状に配設されているので、給水器具の位置を変更したり他の器具に交換したりする場合に給水管の継ぎ足しや交換をすることなく対応することが可能となる。
また、水の流れる方向を急に変えることがないのでウォーターハンマーを防止することができる。
【０００７】
本発明の他の態様によれば、前記給水管が壁内部に継手をもたず連続した一本（一巻き）の管で構成されたことを特徴とする。
【０００８】
上記の構成によれば、給水管が壁内部に継手をもたず連続した一本（一巻き）の管で構成されているので、壁内部での漏水の危険性を低減することができる。
【発明の効果】
【０００９】
本願発明に係る給水管の配設構造は、給水器具の位置の変更や他の器具への交換の際に給水管を継ぎ足すことなく対応することができる。
【図面の簡単な説明】
【００１０】
【図１】本発明の実施形態に係る給水管の配設構造の概略図である。
【図２】本発明の実施形態に係る給水管の配設構造の断面概略図である。
【符号の説明】
【００１１】
１      基礎
１ａ    立ち上がり部
２      外壁パネル
３      受け金物
４      内壁
５      新規給水管
６      新規給湯管
６ａ    分岐用継ぎ手
６ｂ    プラグ
７      壁貫通部材
７ａ    筒状挿通部
８      ジョイント金具
９      給湯器
１０    カバー材
１０ａ  ベース片
１０ｂ  カバー片
１１    化粧カバー材
【発明を実施するための形態】
【００１２】
次に、本発明に係る給水管の配設構造の実施形態を図１及び図２に基づいて説明する。これらの実施形態は本発明の理解を助けるために記載するものであって、本発明を記載された実施形態に限定するものではない。
【００１３】
本実施形態では、既存建物における洗面化粧台の更新に伴って更新される給水管及び給湯管の配設例について説明する。
【００１４】
［既存建物の構成］
本実施形態に係る給水管の配設構造が適用される建物は鉄骨造の工業化住宅である。この建物においては、角形鋼管からなる柱、Ｈ形鋼からなる梁、ブレース等にて基本架構が形成されている。
【００１５】
基礎１は鉄筋コンクリート造で、立ち上がり部１ａを有する逆Ｔ字断面の布基礎である。建物の外周部に位置する基礎１には、後述する外壁パネル２を支持する為の受け金物３が取り付けられている。この受け金物３は、Ｌ字断面の長尺部材であり、ステンレススチールまたは、溶融亜鉛メッキ処理された鋼材からなる。基礎１の上端から突設されたアンカーボルトを用いて取り付けられており、起立片を有する先端側が基礎１の立上り部１ａの表面からせり出すように構成されている。
建物内部の床は、布基礎天端に架け渡されたＡＬＣからなる床パネル、床下地モルタル、床仕上げ材で構成されている。
【００１６】
外周壁は、外壁パネル２と内壁とからなる。外壁パネル２は、ＡＬＣからなり、下端が受け金物３にて支持され、上端側は、２階外周部の床梁の下フランジにボルトにて取り付けられた断面Ｌ字状の定規金物の垂下片に沿って固定されている。表面には防水と化粧を兼ねた吹き付け塗装が施されている。外壁パネル２の表面は受け金物３の先端の起立片に接しており、基礎１の立上り部１ａの表面からせり出すように構成されている。
【００１７】
内壁４は、所定のピッチで配列された下地材に対して釘止めされた石膏ボードと、石膏ボードに糊付けされたビニールクロスで構成されている。間仕切り壁は、所定のピッチで配列された下地材の両面に釘止めされた石膏ボードと、石膏ボードに糊付けされたビニールクロスで構成されている。
【００１８】
なお、本実施形態においては、上記のような工業化住宅について説明を行うが、本願発明がこのような建物にのみ限定されて用いられるわけではない。
【００１９】
［既存設備の構成］
ここでは、洗面室に配設された既存の洗面化粧台、及び洗面化粧台に接続された既存給水管と既存給湯管を既存設備とする。既存給水管は、ＳＧＰ管（配管用炭素鋼鋼管）、ＶＬＧＰ管（塩化ビニルライニング鋼管）等からなり、既存給湯管は、銅管からなる。
既存給水管、既存給湯管は、地中に埋設され、洗面室が面する外壁面近傍で立ち上げられ、既存洗面化粧台背面の接続部位置にて直角エルボを用いて外壁方向に曲げられて、外周壁を貫通して建物内に引き込まれ、既存洗面化粧台接続部に接続されている。また、その他の排水管や電源ケーブルなどが接続されている。
【００２０】
［既存設備の撤去手順］
既存設備の撤去作業について説明する。先ず、既存洗面化粧台を撤去し、石膏ボードを剥がす（既存給水管、既存給湯管の撤去及び新規給水管、新規給湯管の配管に必要な範囲のみ）。既存給水管、既存給湯管を撤去する。
そして、外壁パネルの既存給水管、既存給湯管の貫通部の孔を適宜補修する。
【００２１】
［新規設備の構成］
新規洗面化粧台は背面に給水管、給湯管の接続部を備えた家庭用の一般的なタイプである。２つの接続部は同一の高さに所定の間隔で形成されている。
【００２２】
新規給水管５、新規給湯管６ともに、可撓性を有する架橋ポリエチレン管からなり、蛇腹状で可撓性を有するＣＤ（Combined  Duct）管からなる保護管の内部に挿通されている。いわゆるサヤ管方式という配管形式である。
【００２３】
図１又は図２に示すように、新規給水管５、新規給湯管６は、外周壁（外壁パネル２）の外側面に取り付けられた壁貫通部材７を利用して建物内に引き込まれている。壁貫通部材７は、斜め下方を向いた筒状挿通部７ａを有し、新規給水管５、新規給湯管６は、当該筒状挿通部７ａから2本まとめて挿通される。
【００２４】
［新規給水管及び新規給湯管の建物内部の構成］
新規給水管５、新規給湯管６は壁貫通部材７を経由して建物内に引き込まれたのち、図１に示すように、外周壁の内部空間（外壁パネル２と内壁４との間の空間）を利用して、上方に弧を描くように屈曲されて、接続部位置まで延長され、ジョイント金具８に接続されている。
【００２５】
本実施形態に係る給水管の配設構造においては、給水管が可撓性を有する材質からなり、給水器具への接続位置から離隔した位置で建物内部に引き込まれ、かつ引き込み位置から給水器具との接続位置まで壁内部に円弧状あるいは螺状に配設されているため、給水器具の位置を変更したり他の器具に交換したりする場合に給水管の継ぎ足しや交換をすることなく対応することが可能となる。
即ち、給水器具の位置が変更された場合であっても、壁内部に設けられた給水管、あるいは給湯管は柔軟な材料からなり、予め長さに余裕を持たせてあるため、継ぎ足しや交換を行う必要がない。
また、給水器具の位置が変更された場合であっても、水の流れる方向を急に変えることがないのでウォーターハンマーを防止することができる。
【００２６】
［新規給湯管の建物外部の構成］
新規給湯管６は、外周壁（外壁パネル２）に沿って、地面に据え置かれた、又は外周壁（外壁パネル）に掛止された給湯器９の位置から壁貫通部材７の位置にかけて、基礎１の立上り部１ａからせり出した外周壁（外壁パネル２）の下端面に沿って横引きされており、カバー材１０にて保持および保護がなされている。
【００２７】
カバー材１０は、断面略Ｃ字状のベース片１０ａ、カバー片１０ｂの２つのパーツからなり、ベース片１０ａを基礎立上り部にビス止めし、ベース片１０ａに嵌めした後、カバー片１０ｂをベース片１０ａに嵌め合わせることで、新規給湯管６を保持、保護している。
【００２８】
また、カバー片１０ｂの内面側には保温材が装置されており、保温の機能も有している。
新規給湯管６は、壁貫通部材７が設けられている位置の下方でＴ字の分岐用継ぎ手６ａ（チーズ）にて上方、あるいは横方向に向かって分岐され、その下方から立ち上げられた新規給水管５とともに壁貫通部材を経由して建物内部に引き込まれる。
分岐用継ぎ手６ａで分岐されたもう一方の新規給湯管６は、将来の設備機器増設に備えて所定寸法だけ延長され、その端部はプラグ６ｂ等で保護される。
【００２９】
［新規給水管の建物外部の構成］
新規給水管５は、壁貫通部材７の位置まで地中内に埋設される。新規給水管５は壁貫通部材７の位置で起立され、基礎１の立上り部１ａに固定されたサドル（図示せず）で保持されて、新規給湯管６と合体され、壁貫通部材７を経由して建物内部に引き込まれる。新規給水管５の地上に露出する部分は、凍結防止の保温材が巻きつけられたのち、化粧カバー材１１で覆われる。
【００３０】
以上のように、本実施形態に係る給水管の配設構造は、給水器具に接続するための給水管の配設構造であって、前記給水管が、可撓性を有する材質からなり、前記給水器具への接続位置から離隔した位置で建物内部に引き込まれ、引き込み位置から前記給水器具との接続位置まで壁内部に円弧状あるいは螺状に配設されたことを特徴とする。
これにより、給水管が可撓性を有する材質からなり、建物内部への引き込み位置から給水器具との接続位置まで壁内部に円弧状あるいは螺状に配設されているので、給水器具の位置を変更したり他の器具に交換したりする場合に給水管の継ぎ足しや交換をすることなく対応することが可能となる。
また、水の流れる方向を急に変えることがないのでウォーターハンマーを防止することができる。
【００３１】
また、他の態様によれば、前記給水管が壁内部に継手をもたず連続した一本（一巻き）の管で構成される。これによれば、給水管が壁内部に継手をもたず連続した一本（一巻き）の管で構成されているので、壁内部での漏水の危険性を低減することができる。
【００３２】
本発明に係る給水管の配設構造が適用された建物では、給水器具の位置の変更や交換等があった場合にも、給水管を継ぎ足したり交換したりすることなく対応することができる。
【図１】
2012229537.tif 000003
【図２】
2012229537.tif 000004